(57)【要約】      （修正有）【課題】組み立て工数が軽減されるとともに、不良品が発生し難い遊技球入賞装置を提供する。【解決手段】取付板部５の前面に一対の翼片を軸支するとともに該翼片間に流入した遊技球を後方に導く傾斜樋２０が該取付板部の後面に一体に形成された球案内用組体と、前面を開口したケーシング３０内にソレノイド３１が前方から水平に挿入された駆動原部と、両外方に支点軸が突設された伝動リンク３とからなり、前記傾斜樋の両側に形成された包囲壁２１の後端面に押圧片を突設するとともに、前記伝動リンクを球案内用組体と駆動原部との間に配置し、該駆動原部のケーシングを球案内用組体の後側にビスにより締着固定することにより、押圧片が該ケーシング内のソレノイドを押圧し、前記支点軸が該包囲壁の後部と該ケーシングの前縁との間に回転自在に支持されて組み立てられるようにした。【選択図】図５
2005296075.tif 000002
【特許請求の範囲】
【請求項１】
取付板部の前面に一対の翼片を軸支するとともに該翼片間に流入した遊技球を後方に導く傾斜樋が該取付板部の後面に一体に形成された球案内用組体と、前面を開口したケーシング内にソレノイドが前方から水平に挿入された駆動原部と、両外方に支点軸が突設された伝動リンクとからなり、該伝動リンクは前記ソレノイドの前方に突出する進退動軸に係合し該進退動軸の作動を該支点軸を中心とする反復回転運動に変換して前記翼片に伝達することで該翼片を平行起立状態または逆八字状傾動状態に変動させる遊技球入賞装置であって、
前記傾斜樋の両側に形成された包囲壁の後端面に押圧片を突設するとともに、前記伝動リンクを球案内用組体と駆動原部との間に配置し、該駆動原部のケーシングを球案内用組体の後側にビスにより締着固定することにより、押圧片が該ケーシング内のソレノイドを押圧し、前記支点軸が該包囲壁の後部と該ケーシングの前縁との間に回転自在に支持されて組み立てられるようにしたことを特徴とする遊技球入賞装置。
【請求項２】
先端部に係合爪が形成された弾性片をケーシングに一体に形成し、ソレノイドを該ケーシングに挿入することにより該係合爪がソレノイドに係合することで該ソレノイドが該ケーシングから抜脱しないように仮止されるようにしたことを特徴とする請求項１に記載の遊技球入賞装置。
【請求項３】
包囲壁の後端部に支点軸が遊嵌する切込孔を形成した請求項１または２に記載の遊技球入賞装置。
【請求項４】
包囲壁の後端面に位置決用突起を突設するとともに、ケーシングの前縁に該位置決用突起の嵌合孔を開設した請求項１〜３のいずれかに記載の遊技球入賞装置。
【請求項５】
傾斜樋の下部とケーシングの下部に夫々相対する副収容部を形成し、両副収容部に球検出センサを挿入して球案内用組体に該ケーシングを締着固定することにより、該球検出センサが両副収容部に包持されて組み立てられるようにしたことを特徴とする請求項１〜４のいずれかに記載の遊技球入賞装置。
【発明の詳細な説明】
【技術分野】
【０００１】
本発明はパチンコ機の遊技盤等に設けられる遊技球入賞装置に関するものである。
【背景技術】
【０００２】
いわゆるチューリップ、羽物等と称せられるパチンコ機の遊技球入賞装置は、ソレノイドを作動させ、一対の翼片を平行起立状態から逆八字状に変動させることにより、遊技盤上を流下する遊技球を入賞し易く変化させるものである。
【０００３】
従来から下記特許文献１に示された入賞装置は、一対の翼片が軸支された前方側ユニットと、ソレノイドが設けられた後方側ユニットとをビスにより締着固定し組み立てる構造であった。
【特許文献１】特開２００３−２４５５５号公報
【発明の開示】
【発明が解決しようとする課題】
【０００４】
ところで、上記従来の入賞装置は、ソレノイドの進退動軸に係合し該進退動軸の作動を翼片に伝達し該翼片を平行起立状態または逆八字状傾動状態に変動させるための伝動リンク（伝達回転部）を回転自在に組み付けるのに手間が掛かるものであった。また、コ字状の金属板材を用いてソレノイドを組み付けるものであったが、組み付け後もソレノイドがぐらつくおそれがあった。
【０００５】
本発明は上記問題点を解消し、少ない工数で容易に組み立てられ、組立不良が発生し難い遊技球入賞装置を提供しようとするものである。
【課題を解決するための手段】
【０００６】
そのために請求項１に記載の遊技球入賞装置は、取付板部の前面に一対の翼片を軸支するとともに該翼片間に流入した遊技球を後方に導く傾斜樋が該取付板部の後面に一体に形成された球案内用組体と、前面を開口したケーシング内にソレノイドが前方から水平に挿入された駆動原部と、両外方に支点軸が突設された伝動リンクとからなり、該伝動リンクは前記ソレノイドの前方に突出する進退動軸に係合し該進退動軸の作動を該支点軸を中心とする反復回転運動に変換して前記翼片に伝達することで該翼片を平行起立状態または逆八字状傾動状態に変動させる遊技球入賞装置であって、前記傾斜樋の両側に形成された包囲壁の後端面に押圧片を突設するとともに、前記伝動リンクを球案内用組体と駆動原部との間に配置し、該駆動原部のケーシングを球案内用組体の後側にビスにより締着固定することにより、押圧片が該ケーシング内のソレノイドを押圧し、前記支点軸が該包囲壁の後部と該ケーシングの前縁との間に回転自在に支持されて組み立てられるようにしたことを特徴とする。
【０００７】
また、請求項２に記載の発明は上記遊技球入賞装置において、先端部に係合爪が形成された弾性片をケーシングに一体に形成し、ソレノイドを該ケーシングに挿入することにより該係合爪がソレノイドに係合することで該ソレノイドが該ケーシングから抜脱しないように仮止されるようにしたことを特徴とする。
これによりソレノイドが該ケーシング中から脱落するおそれはなく組み立て作業が容易となる。
【０００８】
また、請求項３に記載の発明は上記遊技球入賞装置において、包囲壁の後端部に支点軸が遊嵌する切込孔を形成したことを特徴とする。
このため伝動リンクを常に確実に回転自在に支持させることができる。
【０００９】
また、請求項４に記載の発明は上記遊技球入賞装置において、包囲壁の後端面に位置決用突起を突設するとともに、ケーシングの前縁に該位置決用突起の嵌合孔を開設したことを特徴とする。
このため、球案内用組体と駆動原部とをビス止するにあたっての合着が容易となる。
【００１０】
また、請求項５に記載の発明は上記遊技球入賞装置において、傾斜樋の下部とケーシングの下部に夫々相対する副収容部を形成し、両副収容部に球検出センサを挿入して球案内用組体に該ケーシングを締着固定することにより、該球検出センサが両副収容部に包持されて組み立てられるようにしたことを特徴とする。
このため、球検出センサをも同時に組み付けられ、作業工数が一層軽減される。
【発明の効果】
【００１１】
球案内用組体と駆動原部とを締着固定するだけで、ソレノイドが不動に固定されると同時に伝動リンクを回転自在に組み付け得るので、組み立て工数が軽減され組み立てが容易となるとともに、常に確実な組み立てができ不良品が発生し難くなる。
【実施例１】
【００１２】
次にこの発明の実施例を図面に従い説明する。図１はこの遊技球入賞装置の斜視図、図２は正面図、図３は平面図、図４はこの遊技球入賞装置を遊技盤に装着したときの側面図、図５はその縦断面図、図６はこの遊技球入賞装置の分解斜視図である。図６に示したように、この遊技球入賞装置は球案内用組体１と駆動原部２と伝動リンク３と球検出センサ４とからなる。球案内用組体１は、図７にさらなる分解斜視図を示したように、プラスチック製の取付板部５とポケット６と一対の翼片７とからなる。そして該球案内用組体１は、ポケット６の内面に一対の支軸８を一体に形成し、該支軸８を翼片７に形成された軸孔２９に貫挿するとともに、該翼片７の後面に突設された係合軸９を取付板部５に開設された円弧状の長孔１０（図５に示す）より該取付板部５の後側に突出させ、該ポケット６を取付板部５の前面にビス１３によって固着することにより、翼片７を互いに外向きに傾動可能に軸支することにより構成される。なお、１４はビス１３を螺合するためポケット６の後端縁に形成された止孔、１５は該ビス１３を貫挿するため取付板部５に開設されたバカ孔である。また、１６ａはポケット６の後端縁に形成された位置決用突起、１６ｂは取付板部５に開設された位置決用孔、１７は取付板部５の後面に形成された位置決用突起、１８は取付板部５に開設された遊技盤取付用のバカ孔である。また、該取付板部５にはポケット６の底部と相対するように球通過口１９が開設され、該球通過口より後方に傾斜樋２０が一体に延設され該翼片７間に流入した遊技球が該球通過口を通って後方に導かれるようにしている。また、取付板部５の後側に該傾斜樋２０を両側から囲うような形態にて包囲壁２１が形成され、該包囲壁の上部後端面に一対の押圧片２２を突設している。また、該包囲壁２１の外側面に水平円柱状のリブ２３が一体に形成され該リブの後端面に止孔２４が形成され、該止孔の近くで包囲壁２１の後端面に位置決用突起２５を突設している。２６は該包囲壁２１の後端部で該リブ２３の少し下方位置に形成した切込孔である。また、取付板部５の後側で傾斜樋２０の下部に後面が開口する箱状の副収容部２７が形成される。また、取付板部５の上部前方で一対の翼片７上に張り出すように枠状の入賞口２８が一体に形成される。
【００１３】
また、駆動原部２は、図８にさらなる分解斜視図を示したように、前面を開口したプラスチック製の箱状のケーシング３０とソレノイド３１とからなる。ケーシング３０はソレノイド収容部４３の両側に耳片３２が一体に形成され、該耳片にビス貫挿用のバカ孔３３と位置決孔３４が開設される。また、先端部に内向きの係合爪３５が形成された弾性片３６を該収容部４３の下壁面に一体に形成する。なお、該ケーシング３０の各壁にはソレノイドの放熱性，通気性を良好に保つとともにリード線を導出するために窓孔３７が形成されている。また、ケーシング３０の下部には前記副収容部２７と相対するように前面が開口した枠状の副収容部３８が形成されている。また、ソレノイド３１は、コイルバネ３９によって進退動軸４０を前方に付勢するとともに、該進退動軸の先端に円板状係合片４１を形成してなるものである。そして該ソレノイド３１をケーシング３０のソレノイド収容部４３中に前方から水平に挿入することにより係合爪３５が該ソレノイドの前縁に係合し、該ソレノイドが該収容部から抜脱しないように仮止される。なお、４２はケーシング３０の後部に一体に形成されたリード線結束バンド掛止用のフックである。
【００１４】
また、伝動リンク３は、側面略Ｌ形の一対の板部５０が平行なるように連杆５１，５２によって一体に連結され、そのＬ形折曲部付近に外方に突出する一対の支点軸５３が形成され、該板部５０の一端に前記円板状係合片４１を連杆５１とともに係合する係合軸５４が形成され、該板部５０の他端には前記係合軸９に係合する二股状の把持部５５が形成されたものである。また、球検出センサ４は長方形板状に形成されその一端に開設された透孔部５６を遊技球が通過することにより電気信号を発信する近接スイッチからなるものである。
【００１５】
この遊技球入賞装置を組み立てるにあたっては、前記切込孔２６に両支点軸５３を遊嵌して伝動リンク３を球案内用組体１と駆動原部２との間に配置するとともに、球検出センサ４の両端部を夫々副収容部２７，３８に挿入し、位置決用突起２５を位置決孔３４に嵌合し、ビス５７をバカ孔３３に通し止孔２４に締着することで該ケーシング３０を球案内用組体１の後側に固定する。このビス５７の締着時に前記一対の押圧片２２がソレノイド３１を押圧し、該ソレノイドをケーシング３０内の後方壁に押し付けるため、隙間なくケーシング内に該ソレノイドを緊密に固定することができる。また、切込孔２６は該ケーシング３０の前縁が当接することによって閉じられるので、両支点軸５３は該切込孔２６から抜脱することなく回転自在に支持され、伝動リンク３の組み付けも同時に完了する。
【００１６】
なお、ソレノイド３１をケーシング３０中に挿入したとき係合爪３５が該ソレノイドに係合し仮止されることから、上記組み立てをするに際し該ケーシング３０をその前面開口が下向きとなるような姿勢を採ったとしても該ソレノイドが該ケーシング中から脱落するおそれはなく、組み立て作業が容易となる。
【００１７】
このように構成した遊技球入賞装置では、常態で一対の翼片７は図２に実線で示したように平行起立状態にあり、ソレノイド３１が励磁されコイルバネ３９の弾性に抗して進退動軸４０が後方に引っ張られ円板状係合片４１が伝動リンク３の上部を後方に牽引すると、該伝動リンク３は支点軸５３を中心として回転し把持部５５が係合軸９を上動させることから該翼片７は破断線で示したように逆八字状傾動状態に変動し、該翼片間に遊技球が流入し易くなる。そして流入した遊技球は傾斜樋２０上を通って後方に導かれ球検出センサ４の透孔部５６に落下することにより入賞が検出される。
【００１８】
そして、この遊技球入賞装置では、伝動リンク３を組み付けるのに何ら手間が掛からないとともに、ソレノイド３１はケーシング３０内に緊密に固定されるので、常に確実に作動し不良品の発生率を少なくできるなど顕著な効果がある。
【図面の簡単な説明】
【００１９】
【図１】本発明の実施例を示す遊技球入賞装置の斜視図。
【図２】本発明の実施例を示す遊技球入賞装置の正面図。
【図３】本発明の実施例を示す遊技球入賞装置の平面図。
【図４】本発明の実施例を示す遊技球入賞装置の側面図。
【図５】本発明の実施例を示す遊技球入賞装置の縦断面図。
【図６】本発明の実施例を示す遊技球入賞装置の分解斜視図。
【図７】本発明の実施例を示す遊技球入賞装置の球案内用組体の分解斜視図。
【図８】本発明の実施例を示す遊技球入賞装置の駆動原部の分解斜視図。
【符号の説明】
【００２０】
１      球案内用組体
２      駆動原部
３      伝動リンク
４      球検出センサ
５      取付板部
６      ポケット
７      翼片
８      支軸
１９    球通過口
２０    傾斜樋
２１    包囲壁
２２    押圧片
２４    止孔
２５    位置決用突起
２６    切込孔
２７    副収容部
３０    ケーシング
３１    ソレノイド
３２    耳片
３３    バカ孔
３４    位置決孔
３５    係合爪
３６    弾性片
３８    副収容部
４０    進退動軸
４１    円板状係合片
４３    ソレノイド収容部
５３    支点軸
５４    係合軸
５５    把持部
５７    ビス
【図１】
2005296075.tif 000003
【図２】
2005296075.tif 000004
【図３】
2005296075.tif 000005
【図４】
2005296075.tif 000006
【図５】
2005296075.tif 000007
【図６】
2005296075.tif 000008
【図７】
2005296075.tif 000009
【図８】
2005296075.tif 000010